(57)【特許請求の範囲】
【請求項１】
プリンターの搬送ローラーによって複数枚積み重ねられた状態から一枚ずつ搬送されると共に、このプリンターにより一枚ごとに印刷される、６４ｇ／ｍ2を超える斤量のプリンター用紙であって、
少なくとも一方の面に、搬送ローラーが接触するローラー受け部とこのローラー受け部を除く領域である摩擦低減処理領域とを備え、
前記摩擦低減処理領域は、滑剤及び接着剤を主成分とする摩擦係数低減剤を塗布することで設けられ、
摩擦低減処理領域におけるＪＩＳ  Ｐ  ８１４７の水平方法に準じて測定される静摩擦係数が、ローラー受け部の前記静摩擦係数よりも低くなるよう形成された、ことを特徴とするプリンター用紙。
【請求項２】
ローラー受け部が、当該ローラー受け部を有する面の一方の周縁の一部からこれに対向する他方の周縁の一部に至るまで直線状に形成されている、請求項１記載のプリンター用紙。
【請求項３】
ローラー受け部が高摩擦処理された領域とされている、請求項１又は請求項２項に記載のプリンター用紙。
【発明の詳細な説明】
【技術分野】
【０００１】
本発明は、印刷時の搬送性に優れるプリンター用紙に関するものであり、例えば、タック紙などの斤量の重いプリンター用紙として適用可能なものである。
【背景技術】
【０００２】
電子写真方式のプリンターで使用され、プリンターの搬送ローラーで複数枚積み重ねられた状態から一枚ずつ搬送されると共に一枚ごとに印刷されるプリンター用紙（カット紙）であるＰＰＣ（プレーンペーパーコピー）用紙は、用紙の搬送性を安定させ搬送ミスを防止するために、用紙間の摩擦係数が調整されて生産される。一般的なＰＰＣ用紙としては６４ｇ／ｍ2程度の斤量の軽い用紙が用いられるため、用紙間との摩擦係数の許容範囲が広い。
【０００３】
しかしながら、タック紙やタック紙上に情報記録用紙を疑似接着させたようなプリンター用紙では、複数層構造となりさらには層間に接着剤や疑似接着剤などが存在するために斤量が重くなる。斤量の重いプリンター用紙は、プリンター用紙間の摩擦力が大きくなってしまうため、搬送ローラーとプリンター用紙との摩擦力では用紙を十分に引っ張ることができずに不送りが発生しやすいという問題があった。
【０００４】
そこで、プリンター用紙間の摩擦力を抑えるためにプリンター用紙間の摩擦係数を小さくすると、プリンター用紙を引っ張るのに必要な力は小さくなるが、搬送ローラーとプリンター用紙との摩擦係数も低下してしまいプリンター用紙の不送りが発生してしまう。プリンター用紙間の摩擦係数は小さく、プリンター用紙と搬送ローラーとの摩擦係数を高くすることができる表面処理剤があれば好適であるが一般的ではない。
【特許文献１】特開２００１−１７１２６４号公報
【発明の開示】
【発明が解決しようとする課題】
【０００５】
そこで本発明が解決しようとする主たる課題は、プリント時の搬送性を向上させ、斤量が重くとも搬送性が損なわれることのないプリンター用紙を提供することにある。
【課題を解決するための手段】
【０００６】
＜請求項１に係るプリンター用紙＞
プリンターの搬送ローラーによって複数枚積み重ねられた状態から一枚ずつ搬送されると共に、このプリンターにより一枚ごとに印刷される、６４ｇ／ｍ2を超える斤量のプリンター用紙であって、
少なくとも一方の面に、搬送ローラーが接触するローラー受け部とこのローラー受け部を除く領域である摩擦低減処理領域とを備え、
前記摩擦低減処理領域は、滑剤及び接着剤を主成分とする摩擦係数低減剤を塗布することで設けられ、
摩擦低減処理領域におけるＪＩＳ  Ｐ  ８１４７の水平方法に準じて測定される静摩擦係数が、ローラー受け部の前記静摩擦係数よりも低くなるよう形成された、ことを特徴とするプリンター用紙。
【０００７】
（作用効果）
一般的に、プリンター用紙間の静摩擦係数が低く、搬送ローラーと用紙のローラー受け部の静摩擦係数が高いことが用紙搬送の安定には重要である。
請求項１記載のプリンター用紙のように、ローラー受け部を除く領域である摩擦低減処理領域が、搬送ローラーが接触するローラー受け部のＪＩＳ  Ｐ  ８１４７の水平方法に準じて測定される静摩擦係数よりもＪＩＳ  Ｐ  ８１４７の水平方法に準じて測定される静摩擦係数が低くなるよう形成されていることによって、搬送ローラーでプリンター用紙を引く力は大きく、プリンター用紙間に生じる摩擦力は小さくすることができるため、プリンター用紙の斤量が重くとも安定した搬送性を得ることができる。また、本発明に係るプリンター用紙では、両面ともに摩擦低減処理領域を形成することによって、より搬送性に優れたプリンター用紙を提供することもできる。
【０００８】
＜請求項２に係るプリンター用紙＞
ローラー受け部が、当該ローラー受け部を有する面の一方の周縁の一部からこれに対向する他方の周縁の一部に至るまで直線状に形成されている、請求項１記載のプリンター用紙。
【０００９】
（作用効果）
一般的なプリンターでは、搬送ローラーはプリンター用紙の周縁およびその近傍に最初に接触するようになっている。このような事実を参勘し、本請求項においては、ローラー受け部を有する面の周縁の一部を含むようにローラー受け部を形成した。ローラー受け部がこのように配置されていることによって、請求項１に係るプリンター用紙と同一の作用を奏すると共に、搬送時において搬送ローラーがローラー受け部に最初に接触するため搬送が確実に行われるようになる。
【００１０】
＜請求項２に係るプリンター用紙＞
ローラー受け部が、当該ローラー受け部を有する面の一方の周縁の一部からこれに対向する他方の周縁の一部に至るまで直線状に形成されている、請求項１記載のプリンター用紙。
【００１１】
（作用効果）
本請求項に係るプリンター用紙は、請求項１に係るプリンター用紙と同一の作用を奏する。さらに、ローラー受け部を有する面の一方の周縁の一部からこれに対向する他方の周縁の一部に至るまでローラー受け部を直線状に形成することによって、搬送時に搬送ローラーが摩擦低減処理領域に接触しなくなるため、より確実な搬送が可能となる。
【００１２】
＜請求項３に係るプリンター用紙＞
ローラー受け部が高摩擦処理された領域とされている、請求項１又は請求項２項に記載のプリンター用紙。
【００１３】
（作用効果）
本請求項に係るプリンター用紙は、請求項１に係るプリンター用紙と同一の作用を奏する。さらに、ローラー受け部を高摩擦処理された領域とすることによって、搬送時にローラー受け部上で搬送ローラーが滑ってしまうことを防止することができ、その結果搬送性が向上する。
【００１４】
【００１５】
【発明の効果】
【００１６】
以上の通り、本発明の上記構成によれば、プリント時の搬送性を向上させ、斤量が重くとも搬送性が損なわれることのないプリンター用紙を提供することができる。
【発明を実施するための最良の形態】
【００１７】
次に、本発明に係るプリンター用紙の第１の実施の形態を図１および図２に示し、これらの図に基づき本実施の形態を詳説する。
図１および図２に示される本実施の形態に係るプリンター用紙１は、プリンターの搬送ローラーによって複数枚積み重ねられた状態から一枚ずつ搬送されると共に、このプリンターにより一枚ごとに印刷される所謂カット紙である。
【００１８】
図１および図２に示すように、プリンター用紙１の基材紙である矩形状に形成された基材紙１０の片面には、直線状のローラー受け部１１が基材紙１０の長手方向と平行を成すように配置されており、このローラー受け部１１は、基材紙１０の一方の短辺における中央部分から基材紙１０の他方の短辺における中央部分まで、横幅Ｗ１が一律となるように延在している。
【００１９】
基材紙１０におけるローラー受け部１１以外の領域には、各ローラー受け部１１を挟むようにして摩擦低減処理領域１２が配置されている。この摩擦低減処理領域１２上には、少なくとも滑剤および接着剤を主成分とする摩擦係数低減剤の塗布によって摩擦係数低減層２０が積層されている。この摩擦係数低減層２０が存在せしめられることによって、摩擦低減処理領域１２におけるＪＩＳ  Ｐ  ８１４７の水平方法に準じて測定される静摩擦係数は、ローラー受け部１１におけるＪＩＳ  Ｐ  ８１４７の水平方法に準じて測定される静摩擦係数よりも低くなっている。
【００２０】
ローラー受け部１１の配置は、印刷時におけるプリンターの搬送ローラーとプリンター用紙１との接触する位置によって適宜変更される。図１および図２に示す形態では、基材紙１０の長手方向に沿って短手方向中央に配置されているが、例えば基材紙１０の長手方向と交差するように配置しても良い。要は、基材紙１０における印刷が行われるプリンターの搬送ローラーと接触する部分が、ローラー受け部１１とされていれば良い。換言すれば、摩擦低減処理領域１２は、プリント時においてプリンターの搬送ローラーと接触しないように配置される。
【００２１】
摩擦係数低減剤としては、パラフィンワックス、ポリエチレンワックス、エステル系滑剤、脂肪酸アマイド系滑剤、脂肪酸アルコール系滑剤、シリコーン樹脂系滑剤、天然ワックス類等のプリンター用紙表面に塗布することにより表面の摩擦係数を低下させるものであれば特に限定するものではなく、配合量についても滑剤効果があり、接着剤成分に対しプリンター用紙から容易に脱落しない程度の配合であればよく、特に限定はしない。その中でも特に作業性、取り扱いの良さの理由からシリコーン系樹脂を配合した紫外線効果樹脂インキが好ましい。
【００２２】
摩擦係数低減剤の塗布は、既知の塗工、印刷方法によって行うことができ、例えば、グラビアコーター、ロッドコーター、ブレードコーター、ダイコーター、エアーナイフコーター等の各種塗工方法やグラビア印刷、オフセット印刷、凸版印刷、孔版印刷等の印刷方式によって塗布することができる。
【００２３】
摩擦係数低減剤の塗布パターンとしては、ベタ、網点、地紋などの各種パターンを適用可能である。しかし、印刷インキ樹脂やトナー樹脂に対して離型性の高い摩擦係数低減剤を適用する場合、インキ、トナーの定着性が低下してしまうため網点での塗布が最も好ましい。また、網点等のパターン塗布することにより、摩擦係数を容易に調整することが可能となる。
【００２４】
上記の摩擦係数低減剤で形成された摩擦係数低減層２０に対するトナーの定着性を向上させる方法としては、印刷で用いられるトナーが含有している樹脂成分の組成に類似した成分を摩擦係数低減剤に配合するという方法が提案される。例えば、トナーにスチレン系樹脂が含有されていれば、摩擦係数低減剤にもスチレン系樹脂を配合する。このように、トナーが含有している樹脂成分の組成に類似した成分を摩擦係数低減剤に配合する場合、摩擦係数低減剤の摩擦係数低減機能を阻害しない程度に配合することが好ましく、配合量は０．５〜５重量％とするのが好ましい。この程度の配合量であると、摩擦係数低減剤の摩擦係数低減機能を阻害することがなく、かつ好適なトナー定着性を得ることができる。
【００２５】
本実施の形態において基材紙１０は特に限定されず、例えばＰＰＣ用紙や、斤量の重いタック紙や疑似接着剤層を有する疑似接着用紙などを基材紙１０として適用することができる。ただし、一般的な電子写真方式のプリンターの設計では、用紙の斤量が１５７ｇ／ｍ2程度を上限としている場合が多いので、汎用性を考慮し、摩擦係数低減剤の塗布後の斤量は１５７ｇ／ｍ2を上限として製造されることが好ましい。
【００２６】
ＪＩＳ  Ｐ  ８１４７の水平方法に準じて測定されるローラー受け部１１の静摩擦係数をμ1、ＪＩＳ  Ｐ  ８１４７の水平方法に準じて測定される摩擦低減処理領域１２の静摩擦係数をμ2とし、プリンター用紙１の搬送時におけるローラー受け部１１とプリンターの搬送ローラーとの接触面積をＳ1、一方の面におけるローラー受け部１１の面積をＳ2、一方の面における摩擦低減処理領域１２の面積をＳ3とすると、本実施の形態に係るプリンター用紙１は（１）式を満たすよう製造される。
Ｓ1×μ1  ＞  Ｓ2×μ1＋Ｓ3×μ2  ・・・（１）
【００２７】
図１および図２を用いて示した実施形態では、基材紙１０の片面に摩擦係数低減層２０が形成されているが、摩擦係数低減層２０は基材紙１０の両面に形成しても良い。ただし、斤量が比較的軽い基材紙１０を用いる場合などには、摩擦係数低減層２０を片面だけに形成することによって、余分なコストを抑えることができる。
【００２８】
搬送性を向上させるべくローラー受け部１１におけるＪＩＳ  Ｐ  ８１４７の水平方法に準じて測定される静摩擦係数を高くするために、ローラー受け部１１を高摩擦処理された領域としても良い。ローラー受け部１１の高摩擦処理は、無機顔料を主成分とする摩擦係数向上剤の塗布によって行われる。摩擦係数向上剤に含まれる無機顔料としては、例えばカオリン、焼成カオリン、各種軽質炭酸カルシウム、粉砕された重質炭酸カルシウム、タルク、合成シリカ、二酸化チタン、水酸化アルミニウム等の天然あるいは合成系無機顔料等が挙げられ、これらの中から１種以上を適宜選択して用いることができる。これらの中でも、炭酸カルシウムや焼成カオリンが、摩擦係数向上効果と価格面に優れる点から好適である。
【００２９】
無機顔料を主成分とする摩擦係数向上剤の塗布は、既知の塗工方法あるいは印刷方法によって行うことができ、例えば、グラビアコーター、ロッドコーター、ブレードコーター、ダイコーター、エアーナイフコーター等の各種塗工方法やグラビア印刷、オフセット印刷、凸版印刷、孔版印刷等の印刷方式によって塗布することができる。
【００３０】
摩擦係数向上剤の塗布パターンとしては、ベタ、網点、地紋などの各種パターンを適用可能である。これらの中でも、網点が、面積率を変更することにより摩擦抵抗を容易にコントロールすることができるため好適である。
【００３１】
次に、本実施形態に係るプリンター用紙１の作用を説明する。
ローラー受け部１１を除く領域である摩擦低減処理領域１２を、摩擦係数低減層２０の形成によって、ＪＩＳ  Ｐ  ８１４７の水平方法に準じて測定される静摩擦係数が、ローラー受け部１１のＪＩＳ  Ｐ  ８１４７の水平方法に準じて測定される静摩擦係数よりも低くなるよう形成することで、搬送ローラーによってプリンター用紙１を引く力は大きく、積み重ねられたプリンター用紙１間に生じる摩擦力は小さくすることができるため、プリンター用紙１の斤量が重くとも、安定した搬送性を得ることができる。
【００３２】
また、プリンターの搬送ローラーが接触する部分は、ローラー受け部１１とされているため、搬送時に搬送ローラーが摩擦低減処理領域１２に接触することがなく、より確実な搬送が可能となる。
【００３３】
次に、本発明に係るプリンター用紙の第２の実施の形態を図３に示し、この図に基づき本実施の形態を説明する。尚、第１の実施の形態で説明した部材と同一の部材には同一の符号を付して、重複した説明を省略する。
上記実施の形態では、ローラー受け部１１は、図１に示すように基材紙１０の一方の短辺における中央部分から他方の短辺における中央部分まで延在するよう配置されているが、図３に示すように、基材紙１０の一方の短辺における中央部分近傍のみに配置するようにしても良い。この場合、ローラー受け部１１は、プリンターでの搬送時において搬送ローラーと最初に接触する部分とされる。
【００３４】
ローラー受け部１１がプリンターでの搬送時において搬送ローラーと最初に接触する部分に配置される場合、ローラー受け部１１の配置は、使用されるプリンターにおける搬送ローラーの位置によって適宜変更される。図３に示す形態では、基材紙１０の一方の短辺における中央部分近傍のみに配置されているが、例えば基材紙１０の長辺における中央部分近傍に配置しても良い。要は、基材紙１０における印刷が行われるプリンターの搬送ローラーと最初に接触する部分が、ローラー受け部１１とされていれば良い。
【実施例】
【００３５】
以下に実施例を掲げて本発明を詳細に説明するが、本発明はこれら実施例に限定されるものではない。
【００３６】
実施例１〜１２および比較例１〜４に示されるプリンター用紙を用いて、ＲＩＣＨＯのｉｍａｇｉｏ  Ｎｅｏ６０２（表１中のプリンター１）、ＲＩＣＨＯのｉｍａｇｉｏ  Ｎｅｏ４５０（表１中のプリンター２）、およびＮＥＣ  ＰＲ−Ｌ２３５０（表１中のプリンター３）の３種類のプリンターでプリンタ用紙を１０００枚通過させたときの不送と重送の回数をカウントし、そのトラブル合計で搬送性の評価を行った。
【００３７】
なお、「搬送性評価」は、以下に示すとおり評価である。
Ａ：トラブル回数合計が０〜１回
Ｂ：トラブル回数合計が２〜５回
Ｃ：トラブル回数合計が６〜１０回
Ｄ：トラブル回数合計が１１回以上
【００３８】
実施例１〜１２および比較例１〜４のプリンター用紙における基材紙としては上質紙を使用し、層構造は単数層または複数層とした。実施例１〜１２における摩擦低減処理領域およびローラー受け部は、図１および図２に示される第１の実施の形態と同様に片面（裏面）に配置し、表面には摩擦係数の調整処理を施さなかった。実施例１〜８における摩擦低減領域には、シリコーン系滑剤から成る摩擦係数低減剤を配合した紫外線硬化樹脂を樹脂凸版印刷方式によって網点状に塗布して低摩擦処理を施した。実施例１〜４および実施例９〜１２におけるローラー受け部には、二酸化チタンから成る摩擦係数向上剤を含有する紫外線硬化樹脂を樹脂凸版印刷方式によって網点状に塗布して高摩擦処理を施した。比較例１〜４のプリンター用紙には、両面共に摩擦係数の調整処理を施さなかった。
【００３９】
尚、表１中の米坪はＪＩＳ  Ｐ  ８１２４に、紙厚はＪＩＳ  Ｐ  ８１１８に、摩擦係数はＪＩＳ  Ｐ  ８１４７の水平方法に、それぞれ準じて測定されるものである。また、表１中における「表面−表面」は表面同士の摩擦係数を、「表面−裏面の摩擦低減処理領域」は表面と裏面の摩擦低減処理領域との摩擦係数を、「表面−裏面のローラー受け部」は表面と裏面のローラー受け部との摩擦係数を、それぞれ示している。
【表１】
0005214342.tif 000002
【図面の簡単な説明】
【００４０】
【図１】本発明の第１の実施の形態に係るプリンター用紙の平面図である。
【図２】図１のＡ−Ａ断面図である。
【図３】本発明の第２の実施の形態に係るプリンター用紙の平面図である。
【符号の説明】
【００４１】
１        プリンター用紙
１０      基材紙
１１      ローラー受け部
１２      摩擦低減処理領域
２０      摩擦係数低減層
【図１】
0005214342.tif 000003
【図２】
0005214342.tif 000004
【図３】
0005214342.tif 000005